【事件の表示】
　特願２００２−３５４５６８「Ｘ線透視撮影装置」拒絶査定不服審判事件〔平成１６年　７月　２日出願公開，特開２００４−１８１１１４〕について，次のとおり審決する。
【結　論】
　本件審判の請求は，成り立たない。
【理　由】
第１　手続の経緯・本願発明
　本願は，平成１４年１２月６日の出願であって，平成２０年３月６日付け拒絶理由通知に対して，同年５月８日付けで手続補正がされたが，同年７月２９日付けで拒絶査定がなされ，これに対し，同年９月３日に拒絶査定不服審判の請求がされたものである。
　そして，その請求項１〜２に係る発明は，平成２０年５月８日付け手続補正書により補正された明細書及び図面の記載からみて，その特許請求の範囲の請求項１〜２に記載された事項により特定されるとおりのものと認められ，そのうち請求項１に係る発明（以下，「本願発明」という。）は，次のとおりのものである。
　
「Ｘ線管とそれに対向配置されるＸ線像検出部が被検者を載せる天板を挟んでＣアームの両端にそれぞれ支持されるとともに，Ｃアームの回転によりオーバチューブ位置とアンダーチューブ位置に操作される映像系と，その映像系および天板の移動を操作するための操作レバーを備えた透視台操作卓と，前記Ｘ線像検出部が検出する透視撮影像の信号を処理する画像処理装置と，処理された画像を表示する画像モニタとを有するＸ線透視撮影装置において，前記画像モニタ上の画像を上下，左右，又は，上下左右に反転表示させる選択手段と，オーバチューブ位置またはアンダーチューブ位置を検出する位置検出手段と，この位置信号により透視撮影像を反転表示させる透視撮影像反転手段と
，前記透視撮影像反転手段による画像の反転にかかわらず，前記選択手段による画像の反転に連動して前記映像系および前記天板の移動方向を反転させる手段とを設けた
　
第２　引用文献及びその記載事項
　原査定の拒絶の理由に引用された，本願の出願前に頒布された刊行物である特開２０００−２３９６４号公報（以下，「引用文献１」という。）には，図面とともに以下の事項が記載されている。
　
（記載事項１−１）
「【請求項１】  Ｘ線を放射するＸ線源に被検体を挟んで対向配置され，Ｘ線源から被検体に放射されたＸ線の透過Ｘ線を検出し，この透過Ｘ線を画像データとして出力する平板状のパネル型Ｘ線検出器と，
このパネル型Ｘ線検出器からの画像データを表示部に表示する平板状の表示器と，
上記パネル型Ｘ線検出器に対して上記表示器を任意の位置関係に配置可能に結合する自在ジョイント部と，
を備えたことを特徴とするＸ線画像診断装置。」
　
（記載事項１−２）
「【００１５】表示器３は，上記パネル型Ｘ線検出器２からの画像データを入力して画像処理し半導体を利用した表示部に撮影画像を表示するもので，全体的な形状は所定の厚さで矩形状の平板状に形成されている。この表示器３の内部構成は，図２に示すように，パネル型Ｘ線検出器２からの画像データを入力するデータ取込み部１２と，このデータ取込み部１２からの画像データを入力して階調処理，表示位置及び方向の制御，拡大処理等を必要に応じて行う画像処理部１３と，この画像処理部１３での処理後の画像データを表示する液晶ディスプレイ等から成る表示部１４と，上記データ取込み部１２及び画像処理部１３の動作を制御するコントロール部１５とを備えて成る。」
　
（記載事項１−３）
「【００１７】次に，このように構成されたＸ線画像診断装置における撮影動作について説明する。図１において，まず，テーブル１０の上面に被検体１１を寝載させる。そして，上記テーブル１０の下方側にて伸縮軸８を伸縮させてＸ線管球１を被検体１１の真下に位置させると共に，テーブル１０の上方側にてアーム９を任意の高さ，位置，角度で張り出してパネル型Ｘ線検出器２を被検体１１の撮影したい部位へ位置させる。そして，上記パネル型Ｘ線検出器２に対して自在ジョイント部４で結合された表示器３をいろいろな角度，方向に配置して，術者が撮影画像を見やすい位置に該表示器３を配置する。図１では，パネル型Ｘ線検出器２に対して蓋を開いた状態に表示器３を傾斜させて配置している。
【００１８】この状態で，Ｘ線管球１から放射されたＸ線は，テーブル１０上の被検体１１を透過してその透過Ｘ線がパネル型Ｘ線検出器２に入射する。すると，この透過Ｘ線は，上記パネル型Ｘ線検出器２で光学像に変換されると共に，この光学像が半導体を利用して電気信号に変換され画像データとして出力される。この画像データは，図３に示すように，自在ジョイント部４内のケーブルを介して表示器３に転送され，その表示部１４に撮影画像として表示される。この場合，術者は，上記表示部１４に表示される画像を観察しながら弱Ｘ線を出力させて，パネル型Ｘ線検出器２の位置決めを正確に行うことができる。そして，Ｘ線撮影後すぐに撮影画像を確認できるので，撮影の失敗がなくなる。」
　
（記載事項１−４）
「【００２６】図１０の例によれば，図３〜図８に示すようにパネル型Ｘ線検出器２と表示器３との配置の位置関係を変えると，表示部１４に表示される撮影画像の左右が反対になったり，術者がパネル型Ｘ線検出器２の左側又は右側に位置したときで表示部１４の上下が逆になる場合がある。これに対処して，必要に応じて上記表示方向切換スイッチ１６を操作して，表示部１４に表示される撮影画像の左右を変更し，上下を逆とする。例えば，表示方向切換スイッチ１６を押す度に撮影画像の表示が９０度回転する手段を設け，術者が位置する側に応じて表示画像を所望の方向に切り換えればよい。」
　
（記載事項１−５）
「【００２８】図１１はＸ線管球１とパネル型Ｘ線検出器２の支持の他の例を示す説明図である。この例は，Ｘ線管球１とパネル型Ｘ線検出器２をＣ形又はＵ形に形成されたアーム部材１８の両端部に取り付け，このアーム部材１８をベースユニット５の上面に設けられた基台１９から前方に突出する駆動部２０で揺動可能及び回転可能に支持したものである。この場合は，上記アーム部材１８を回転させることにより，Ｘ線管球１とパネル型Ｘ線検出器２の配置においてアンダーチューブの配置とオーバーチューブの配置とを切り換えることができる。」
　
　上記記載事項１−１〜１−５及び図１〜１１，特に図１１の内容を総合すると，引用文献１には，次の発明（以下，「引用発明」という。）が記載されていると認められる。
　
「Ｘ線を放射するＸ線管球１にテーブル１０上の被検体１１を挟んで対向配置され，Ｘ線管球１から被検体１１に放射されたＸ線の透過Ｘ線を検出し，この透過Ｘ線を画像データとして出力する平板状のパネル型Ｘ線検出器２と，このパネル型Ｘ線検出器２からの画像データを入力して階調処理，表示位置及び方向の制御，拡大処理等を必要に応じて行い表示部１４に表示する平板状の表示器３とを備え，Ｘ線管球１とパネル型Ｘ線検出器２をＣ形に形成されたアーム部材１８の両端部に取り付け，上記アーム部材１８を回転させることにより，Ｘ線管球１とパネル型Ｘ線検出器２の配置においてアンダーチューブの配置とオーバーチューブの配置とを切り換えることができるＸ線画像診断装置。」
　
　同じく原査定の拒絶の理由に引用された，本願の出願前に頒布された刊行物である特開２００２−２２４０９６号公報（以下，「引用文献３」という。）には，図面とともに以下の事項が記載されている。
　
（記載事項３−１）
「【請求項１】天板を挟んで，支柱に支持されたＸ線管とこれに対向配置されたＸ線像検出部とからなる映像系と，被検者を載せる天板と，その映像系および天板の移動を操作する透視台操作卓と，前記Ｘ線像検出部が検出する透視撮影像の信号を処理する画像処理装置と，処理された構成画像を表示する画像モニタとを有するＸ線透視撮影装置において，前記画像モニタ上の透視画像を上下，左右，又は，上下左右に反転表示する選択手段と，その反転情報に連動して前記映像系および前記天板の移動方向を反転する手段を備えることを特徴とするＸ線透視撮影装置。
【請求項２】画像処理装置に登録する撮影部位および撮影技法の組合わせを選択することによって，画像モニタ上の透視画像を上下，左右，又は，上下左右に反転表示し，その反転情報に連動して映像系および天板の移動方向も反転するように登録することができるように構成したことを特徴とする請求項１記載のＸ線透視撮影装置。」
　
（記載事項３−２）
「【０００７】
【発明が解決しようとする課題】従来のＸ線透視撮影装置は以上のように構成されているが，術者が画像モニタ９上の透視像を見ながら被検者３に対してカテーテル処置などを行う場合，被検者３の位置によっては，被検者３を天板４上で仰臥位または伏臥位の状態に寝かせたり，頭足方向を反対に寝かせて処置を行う場合がある。
【０００８】このような場合は，画像モニタ９に設けられた透視像を反転させる機能を用いて，透視像と被検者３の向いている位置を一致させている。また，透視台の操作者は，操作室から遠隔操作で，画像モニタ９に表示された関心領域を見ながら，常に関心領域が画像モニタ９上の中心になるように，操作レバー７ａを操作し天板４または映像系を動かし，術者の補助を行っている。しかし，被検者３を天板４上に，伏臥位，または，頭足方向を逆に寝かせた場合，遠隔操作で画像モニタ９を見ながら，画像モニタ９上の関心領域を動かした場合には，操作レバー７ａの操作方向と画像モニタ９上での関心領域の動く方向が一致せず操作しにくいという問題がある。
【０００９】本発明は，このような事情に鑑みてなされたものであって，天板上の被検者３を伏臥位，または，頭足方向を逆にして診断する場合，透視台操作卓７に設けられた操作レバー７ａを，そのパネル上に表示された方向に操作した時，画像モニタ９上に表示される被検者３の透視像の関心領域が，操作レバー７ａと同じ方向に移動するようにしたＸ線透視撮影装置を提供することを目的とする。」
　
（記載事項３−３）
「【００１６】透視台操作卓７は，透視台と透視像表示方向設定入力装置８に接続され，透視台操作卓７に設けられた操作レバー７ａを操作することによって，パネルに表示された同じ方向に，画像モニタ９に表示されたＸ線画像を移動させることができる。この同じ方向に移動させるために，被検者３の体位に応じて，透視像表示方向設定入力装置８で設定された信号によって，透視台の天板４の移動方向を，上下・左右に反転移動させ，また，映像系（Ｘ線管１とＸ線像検出器５）も上下に反転移動させることができる。そして，Ｘ線像検出部５からの出力信号は画像処理装置１０に入力される。」
　
第３　対比
　本願発明と引用発明とを対比する。
　引用発明の「Ｘ線管球１」，「テーブル１０」，「パネル型Ｘ線検出器２」，「Ｃ形に形成されたアーム部材１８」は，それぞれ本願発明の「Ｘ線管」，「天板」，「Ｘ線像検出部」，「Ｃアーム」に相当することが明らかである。
　そうすると，引用発明は，「Ｘ線を放射するＸ線管球１にテーブル１０上の被検体１１を挟んで対向配置され，Ｘ線管球１から被検体１１に放射されたＸ線の透過Ｘ線を検出し，この透過Ｘ線を画像データとして出力する平板状のパネル型Ｘ線検出器２」を有し，「Ｘ線管球１とパネル型Ｘ線検出器２をＣ形に形成されたアーム部材１８の両端部に取り付け，上記アーム部材１８を回転させることにより，Ｘ線管球１とパネル型Ｘ線検出器２の配置においてアンダーチューブの配置とオーバーチューブの配置とを切り換えることができる」ものであるから，引用発明の「アーム部材１８」，「Ｘ線管球１」及び「パネル型Ｘ線検出器２」からなる構造は，本願発明の「Ｘ線管とそれに対向配置されるＸ線像検出部が被検者を載せる天板を挟んでＣアームの両端にそれぞれ支持されるとともに，Ｃアームの回転によりオーバチューブ位置とアンダーチューブ位置に操作される映像系」に相当する。
　また，引用発明の「このパネル型Ｘ線検出器２からの画像データを入力して階調処理，表示位置及び方向の制御，拡大処理等を必要に応じて行い表示部１４に表示する平板状の表示器３」は，本願発明の「前記Ｘ線像検出部が検出する透視撮影像の信号を処理する画像処理装置と，処理された画像を表示する画像モニタ」に相当する。
　引用発明の「Ｘ線画像診断装置」は，本願発明の「Ｘ線透視撮影装置」に相当する。
　
　してみると，両発明は，
　
「Ｘ線管とそれに対向配置されるＸ線像検出部が被検者を載せる天板を挟んでＣアームの両端にそれぞれ支持されるとともに，Ｃアームの回転によりオーバチューブ位置とアンダーチューブ位置に操作される映像系と，前記Ｘ線像検出部が検出する透視撮影像の信号を処理する画像処理装置と，処理された画像を表示する画像モニタとを有するＸ線透視撮影装置。」
　
である点で一致し，以下の点で相違している。
　
（相違点１）
　本願発明では，「その映像系および天板の移動を操作するための操作レバーを備えた透視台操作卓」と，「前記画像モニタ上の画像を上下，左右，又は，上下左右に反転表示させる選択手段」と，「前記選択手段による画像の反転に連動して前記映像系および前記天板の移動方向を反転させる手段」を有するのに対して，引用発明では，これらの手段についての特定がない点。
　
（相違点２）
　本願発明では，「オーバチューブ位置またはアンダーチューブ位置を検出する位置検出手段」と，「この位置信号により透視撮影像を反転表示させる透視撮影像反転手段」を有し，「前記選択手段による画像の反転に連動して前記映像系および前記天板の移動方向を反転させる手段」が，「前記透視撮影像反転手段による画像の反転にかかわら」ないものであるのに対して，引用発明では，そのような特定がない点。
　
第４　判断
　まず相違点１について検討する。
　上記記載事項３−１〜３−３によれば，引用文献３には，Ｘ線透視撮影装置において，「映像系および天板の移動を操作するための操作レバーを備えた透視台操作卓」と，「画像モニタ上の画像を上下，左右，又は，上下左右に反転表示させる選択手段」と，「選択手段による画像の反転に連動して映像系および天板の移動方向を反転させる手段」を有するものが記載されているから，引用発明にこれらの手段を付加して，相違点１における本願発明の構成とすることは，当業者が容易に想到できたことである。
　
　次に相違点２について検討する。
　Ｘ線透視撮影の技術分野において，被写体をＰＡ（背面から前面）で撮影するか，ＡＰ（前面から背面）で撮影するかにより，画像表示の際に左右反転が必要になるとの課題は，例えば特開２０００−１１５５１４号公報の段落【００２４】に，「例えば，図８のように，操作者が被写体をＰＡ（背面から前面）で撮影した場合，本実施形態ではセンサの読取り方向の影響で，単純に撮影画像を表示すると，通常医師が見る撮影とは逆に，例えば心臓が左側となって表示されてしまう。このため，ＰＡ撮影においては，画像表示の際に左右反転が必要となる。」と記載されているように，本願出願前に周知の課題である。
　そして，通常，オーバチューブ位置での撮影はＡＰ撮影であり，アンダーチューブ位置での撮影はＰＡ撮影であるから，オーバチューブ位置とアンダーチューブ位置とを切り換えることができる引用発明が，両位置の切換に応じて画像表示の際に左右反転が必要になるとの課題を有することは，当業者にとって自明の事項である。
　また，撮影装置の姿勢を検出して，その検出結果により表示画像の補正を行うことは，例えば原査定の拒絶の理由に引用された特開平２−５４１５４号公報の２頁右下欄１２〜１９行に，「この目的はこの発明に基づき，基準系の位置を検出するための手段とこの手段に結合された計算手段とが設けられ，この計算手段が偏向電圧の角度に関係する重畳を算出しかつテレビジョンカメラのための偏向ステージに結合され，テレビジョンカメラのターゲットの走査が撮像装置の回転に無関係に基準系の配列方向に行われるようにすることにより達成される。」と記載されているように，本願出願前に周知の技術である。
　そうすると，引用発明において，上記課題を解決すべく，オーバチューブ位置またはアンダーチューブ位置に応じて透視撮影像を反転表示させる透視撮影像反転手段を設け，かつ，上記の周知技術を適用して，撮影装置の姿勢であるオーバチューブ位置またはアンダーチューブ位置を検出し，検出結果である位置信号により透視撮影像を反転表示させるように補正することは，当業者が容易に想到できたことである。
　そして，その際に，「前記選択手段による画像の反転に連動して前記映像系および前記天板の移動方向を反転させる手段」が，「前記透視撮影像反転手段による画像の反転にかかわら」ないものとすること，すなわち，相違点２における本願発明の構成とすることは，透視撮影像反転手段による透視撮影像の反転時における，表示された透視撮影像上の方向と操作レバーの操作方向とを一致させるべく，当業者であれば当然に実施すべきことにすぎない。
　
　また，本願発明の作用効果についても，引用文献１，３の記載事項及び周知技術から当業者が予測できる範囲のものであり，格別顕著なものとはいえない。
　
第５　むすび
　以上のとおり，本願発明は，引用発明，引用文献３に記載された発明及び周知技術に基づいて当業者が容易に発明をすることができたものであるから，特許法第２９条第２項の規定により特許を受けることができないものである。
　したがって，その他の請求項について言及するまでもなく，本願は，拒絶すべきものである。
　よって，結論のとおり審決する。